(57)【要約】【課題】動作クロックを変化させるような処理を行うことなく両センサの読取速度をより効果的に合わせて、両面読取時の処理速度を向上させ得るように構成した画像読取装置を提供する。【解決手段】画像読取装置２２は、縮小光学系読取部４と、縮小光学系読取部４とは読取方式が異なり読取速度が遅い等倍光学系読取部５と、モード切換え部及び水平同期信号制御部とを備えている。モード切換え部及び水平同期信号制御部は、縮小光学系読取部４及び等倍光学系読取部５により原稿Ｄの第１面及び第２面の各画像を１工程で読み取る際は原稿Ｄに対する走査１ライン分を読み取るために使用する縮小光学系読取部４の水平同期信号の位相を、等倍光学系読取部５の水平同期信号の位相に変更する。【選択図】図２
2016051946.tif 000002
【特許請求の範囲】
【請求項１】
搬送されてくる原稿の第１面の画像を第１読取センサにより読み取る第１読取部と、
前記第１読取部とは読取方式が異なり読取速度が該第１読取部より遅く、搬送されてくる原稿の第２面の画像を第２読取センサにより読み取る第２読取部と、
前記第１読取部及び前記第２読取部により原稿の第１面及び第２面の各画像を１工程で読み取る際は原稿に対する走査１ライン分を読み取るために使用する前記第１読取部の水平同期信号の位相を、前記第２読取部の水平同期信号の位相に変更する制御手段と、を備える、
ことを特徴とする画像読取装置。
【請求項２】
前記第１読取部は、前記第１読取センサにより画像を読み取る際に該画像に光照射する第１光源を有し、
前記制御手段は、前記水平同期信号の位相の変更により遅くなった前記第１読取部の読取速度に応じて前記第１光源の光量を低減させるように制御する、
ことを特徴とする請求項１記載の画像読取装置。
【請求項３】
前記制御手段は、前記第１読取センサの位相を第２読取センサの位相に同期させた信号として出力する位相同期回路を有する、
ことを特徴とする請求項１又は２記載の画像読取装置。
【請求項４】
前記位相同期回路は、
前記第１読取センサの水平同期信号を一方の端子に入力すると共に、フィードバックされてくる信号を他方の端子に入力し、前記水平同期信号と前記フィードバックの信号との位相差を出力する位相比較器と、
前記位相比較器からの出力に基づいて発振周波数を変更して出力する可変周波数発振器と、
前記可変周波数発振器からの出力をその周波数を分周して前記他方に端子にフィードバックする分周器と、を有する、
ことを特徴とする請求項３記載の画像読取装置。
【請求項５】
前記位相比較器と前記可変周波数発振器との間には、前記位相比較器の出力から交流成分をカットして不要な短周期変動を除去した形で出力するフィルタ回路が介在されている、
ことを特徴とする請求項４記載の画像読取装置。
【発明の詳細な説明】
【技術分野】
【０００１】
本発明は、画像読取装置、詳細には、ファクシミリ装置や複写装置等に適用される両面原稿を読み取り可能な画像読取装置に関する。
【背景技術】
【０００２】
近年、資源の節約のために情報をシートの両面に記録することが行われているが、このように両面に情報が記録された原稿を、１つの読取手段によりその片面ずつを読み取っていたのでは、画像読取装置の利用性が損なわれる。
【０００３】
そこで、原稿搬送路の片側に等倍光学系式の密着型イメージセンサを配設し、他側に縮小光学系式のＣＣＤ（Charge  Coupled  Device）リニアイメージセンサを配設した画像読取装置が提案されている（特許文献１参照）。
【０００４】
密着型イメージセンサ（ＣＩＳ：Contact  Image  Sensor）は、ミラーが不要で反射光がそのままレンズやセンサに届く構成のため、装置サイズが小さくなって装置本体も小さくできる。密着型イメージセンサは、平面の原稿を読み取る機能はＣＣＤリニアイメージセンサと殆ど変わらないが、厚みのある本の内側等のような凹凸がある原稿では文字をはっきりとは読み取れない。一方、ＣＣＤリニアイメージセンサは、反射光をミラーに反射して集約させ、数枚のレンズを介してセンサで読み取る構成のため、内部構造が大きくなって装置本体が大きくなる。ＣＣＤリニアイメージセンサは、ある程度原稿が浮いていてもピントが合う構造のため、凹凸がある原稿でも文字をはっきりと読み取ることができる。
【０００５】
また、両面読取モードか片面読取モードかに応じて、読取手段の動作クロック、原稿搬送速度及び信号増幅レベルを変化させることで、両面読取時の処理速度を向上させるようにした画像読取装置が提案されている（特許文献２参照）。この画像読取装置では、両面読取時には、動作クロック等を変化させて、読取速度の遅い密着型イメージセンサに読取速度の速いＣＣＤリニアイメージセンサの読取速度を合わせ、原稿の表面及び裏面の各画像を１工程で読み取る。
【先行技術文献】
【特許文献】
【０００６】
【特許文献１】特開平３−２４０３６１号公報
【特許文献２】特開平９−４６４８４号公報
【発明の概要】
【発明が解決しようとする課題】
【０００７】
しかしながら、特許文献２記載の画像読取装置では、読取速度を合わせるために変化させる動作クロック（画素クロック）は、１ＣＬＫで１画素分のデータを処理するクロック信号である。そのため、動作クロックを遅くして密着型イメージセンサにＣＣＤリニアイメージセンサの読取速度を合わせたとしても、読取の１ライン全体として見ると読取速度の低減にはあまり有効ではない。
【０００８】
そこで、本発明は、動作クロックを変化させるような処理を行うことなく両センサの読取速度をより効果的に合わせて、両面読取時の処理速度を向上させ得るように構成した画像読取装置を提供することを目的とする。
【課題を解決するための手段】
【０００９】
本発明は、画像読取装置において、搬送されてくる原稿の第１面の画像を第１読取センサにより読み取る第１読取部と、前記第１読取部とは読取方式が異なり読取速度が該第１読取部より遅く、搬送されてくる原稿の第２面の画像を第２読取センサにより読み取る第２読取部と、前記第１読取部及び前記第２読取部により原稿の第１面及び第２面の各画像を１工程で読み取る際は原稿に対する走査１ライン分を読み取るために使用する前記第１読取部の水平同期信号の位相を、前記第２読取部の水平同期信号の位相に変更する制御手段と、を備えることを特徴とする。
【発明の効果】
【００１０】
本発明によると、動作クロックを変化させるような処理を行うことなく両センサの読取速度をより効果的に合わせて、両面読取時の処理速度を向上させ得るように構成した画像読取装置を実現することができる。
【図面の簡単な説明】
【００１１】
【図１】本発明の実施形態に係る画像読取装置を備えた画像形成装置を示す概略断面図である。
【図２】図１における画像読取装置からカバーを取り外した状態の全体構造を表した外観説明図である。
【図３】図２における画像読取装置に用いられているＣＣＤリニアイメージセンサの説明図である。
【図４】図２における画像読取装置に用いられている密着型イメージセンサの説明図である。
【図５】本実施形態における画像読取装置の制御系について示すブロック図である。
【図６】図５における水平同期信号制御部の構成の一例を示すブロック図である。
【図７】（ａ）〜（ｅ）は本実施形態における画像読取装置の各読取モードと、モードに対応する水平同期信号（ＨＳＹＮＣ）及び光源電流値について示す図である。
【図８】本実施形態における画像読取装置の処理を説明するフローチャートである。
【発明を実施するための形態】
【００１２】
以下、本発明の好適な実施の形態を添付図面に基づいて詳細に説明する。尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１３】
［画像形成装置］
図１は、本実施形態に係る画像形成装置の一例である複写機をシート搬送方向に沿って断面した状態で示す断面図である。図１に示すように、複写機等の画像形成装置４０は、装置本体４０ａと、装置本体４０ａの上部に備えられた画像読取装置２２とを有している。
【００１４】
画像読取装置２２は、画像読取部１０２と、画像読取部１０２の上に設けられた原稿搬送部（ＡＤＦ）１とを有している。画像読取装置２２は、シート状の原稿Ｄの画像を読み取って画像を電気信号に変換し、電気信号に基づいて画像データを形成する。装置本体４０ａでは、画像の電気信号や画像データに基づいてシートＳｈに画像を形成する。
【００１５】
原稿搬送部１は、ユーザ等により原稿給紙トレイ（シート積載部）２に載置された画像読取前の原稿Ｄを画像読取部１０２に自動的に搬送するように構成されている。原稿給送トレイ２は、画像を読み取られる原稿Ｄが積層状に載置される。画像読取部１０２は、搬送されている原稿Ｄに画像読取位置Ｒで照射した光の反射光を受光して、原稿Ｄを光学的に読み取って電気信号に変換し、電気信号に基づいて画像データ（画像読取情報）を作成する。
【００１６】
画像形成装置４０の装置本体４０ａでは、画像データに基づいてシートＳｈに複写画像を形成する。装置本体４０ａは、原稿Ｄの画像の電気信号や画像データに基づいて露光部１２３を作動させて、回転する感光ドラム１２１の表面に静電潜像を形成する。静電潜像は、現像器１２４で現像（トナーを供給）されてトナー画像となる。
【００１７】
一方、装置本体４０ａの下部には、各種サイズのシートＳｈを装填したシート載置部１３７ａ，１３７ｂ，１３７ｃ，１３７ｄが配置されている。シート載置部１３７ａ〜１３７ｄのシートＳｈは、それぞれ給送ローラ１３８ａ，１３８ｂ，１３８ｃ，１３８ｄによって１枚ずつ送り出され、搬送ローラ１３１へ受け渡される。シートＳｈは、手差しトレイ１３７ｅからも給送ローラ１３８ｅへ受け渡されるようになっている。
【００１８】
その後、シートＳｈは、レジストローラ対１３６によって斜行を真っ直ぐに矯正されて、かつ感光ドラム１２１上のトナー画像と位置を同期されて、感光ドラム１２１と転写帯電器１２５との間に供給される。シートＳｈは、転写帯電器１２５によって感光ドラム上のトナー画像を転写され、分離帯電器１２６によって感光ドラム１２１から分離される。クリーナ１２７は、トナー画像を転写した感光ドラム１２１の表面をクリーニングする。そして、帯電器１２２は、次の露光に備えて感光ドラム１２１の表面を帯電する。
【００１９】
一方、トナー画像を転写されたシートＳｈは、ベルト搬送部１２８によって定着器１２９へ搬送され、定着器１２９で加熱と加圧を受けて表面にトナー画像を定着される。そして、トナー画像が定着されたシートＳｈは、排出トレイ１３０に排出される。
【００２０】
以上説明した、画像形成装置４０は、装置本体４０ａ内に備えたＣＰＵを有する制御部１３２によって制御される。また、画像読取装置２２には、装置本体４０ａ側の制御部１３２からの指令に従って画像読取装置２２の動作を制御する読取装置制御部３１が設けられている。なお、感光ドラム１２１、帯電器１２２、現像器１２４等により画像形成部１３３が構成されている。
【００２１】
［原稿搬送部］
次に、図２を参照して、本実施形態に係る画像読取装置２２の詳細な構成について説明する。なお、図２は、本実施形態に係る画像読取装置２２を原稿搬送方向に沿って断面した概略断面図である。
【００２２】
図２に示すように、画像読取装置２２は、本体ケース３の上部に所定方向に所定角度開閉可能な原稿搬送部１（ＡＤＦ）と、原稿搬送部１の下方において所謂ブックタイプの原稿（ブック原稿）の画像を読み取り可能なブック型の画像読取部１０２とを有する。画像読取装置２２は、原稿給送トレイ２上に載置された原稿Ｄを自動的に、第２読取部としての等倍光学系読取部５を通過させ、画像読取位置Ｒ（図１参照）に配置された第１読取部としての縮小光学系読取部４へ送り込むように構成されている。
【００２３】
原稿搬送部１は、原稿給送トレイ２と、分離部２５と、画像を形成された原稿Ｄの原稿給送方向（矢印Ａの方向）と直交する幅方向（図２の手前−奥方向）に沿って細長状に延在する自動原稿搬送部２６とを備えている。原稿搬送部１は、原稿給送トレイ２上の原稿Ｄを送り出す給送ローラ２４と、給送ローラ２４により給送された原稿Ｄを１枚ずつに分離して搬送する分離搬送ローラ対４４と、レジストローラ対２７と、搬送ローラ対２８，２９，３０とを有している。
【００２４】
原稿搬送部１は給送ローラ２４下方に、搬送ローラ対４７と、排出ローラ対４８と、等倍光学系読取部（第２読取部）５及び縮小光学系読取部（第１読取部）４の少なくとも一方で画像を読み取られて送られてきた原稿を受ける原稿排出トレイ５０とを有する。さらに、搬送ローラ対４７と排出ローラ対４８との間には、搬送切換え部材４９が配置されている。
【００２５】
画像読取部１０２は、本体ケース３と、本体ケース３の上面にて同レベルの面となるように並べて配置された原稿台ガラス６及び表面シェーディング板７と、本体ケース３内の原稿台ガラス６の下方に配置された縮小光学系読取部（第１読取部）４とを有する。
【００２６】
［縮小光学系読取部（第１読取部）］
次に、縮小光学系読取部（第１読取部）４の詳細について図３を参照して説明する。なお、図３は、画像読取装置２２に用いられている縮小光学系読取部４の説明図である。
【００２７】
図３に示すように、縮小光学系読取部（第１読取部）４は、搬送されてくる原稿Ｄの第１面（本実施形態では表面）の画像をＣＣＤリニアイメージセンサ（第１読取センサ）１４により読み取るように構成されている。縮小光学系読取部４は、第１ミラー８、第２ミラー９、第３ミラー１０、第４ミラー１１、第５ミラー１２及びレンズ１３、ＣＣＤリニアイメージセンサ（第１読取センサ）１４、及び第１光源（ＬＥＤ）１５ａ，１５ｂを有している。
【００２８】
第１光源１５ａ，１５ｂとして、白色ＬＥＤをアレー上に配置したものが使用されている。縮小光学系読取部４では、第１光源１５ａ，１５ｂに白色ＬＥＤを使用していることで、Ｒ・Ｇ・Ｂ（ＲＥＤ、ＧＲＥＥＮ、ＢＬＵＥ）を同時に読み取ることができるため、等倍光学系読取部５よりも高速な読取を実行することができる。以上の縮小光学系読取部４は、第１光源１５ａ，１５ｂを白色ＬＥＤとし、複数のミラー８〜１２とレンズ１３を用い、光束の反射と集約を繰り返した後に原稿Ｄからの光を光学系で撮像素子であるＣＣＤリニアイメージセンサ１４に導くように構成されている。
【００２９】
このような縮小光学系読取部４では、原稿Ｄが原稿台ガラス６上にセットされると、第１光源１５ａ，１５ｂから原稿Ｄに照射された光が原稿台ガラス６を通して原稿面で第１ミラー８に反射される。これにより、第１ミラー８は入射光を第２ミラー９に反射し、第２ミラー９は入射光を第３ミラー１０に反射し、第３ミラー１０は入射光を第４ミラー１１に反射し、第４ミラー１１は入射光を第５ミラー１２に反射する。そして、第５ミラー１２は入射光をレンズ１３に反射し、レンズ１３は入射光をＣＣＤリニアイメージセンサ（第１読取センサ）１４の受光面に結像させる。
【００３０】
［密着型読取部（第２読取部）］
次に、等倍光学系読取部（第２読取部）５の詳細について図４を参照して説明する。なお、図４は、画像読取装置２２に用いられている等倍光学系読取部５の説明図である。
【００３１】
図４に示すように、等倍光学系読取部５は、縮小光学系読取部４とは読取方式が異なり読取速度が該縮小光学系読取部４より遅い。そして、等倍光学系読取部５は、搬送されてくる原稿Ｄの第２面（本実施形態では裏面）の画像を、密着型イメージセンサ（ＣＩＳ：Contact  Image  Sensor）としての受光素子（第２読取センサ）２１により読み取るように構成される。等倍光学系読取部５は、ＬＥＤ光源ユニット１７、導光体１８、セルフォック（登録商標）レンズアレイ１９（以下、単に「レンズアレイ１９」という）、基板２０、及び基板２０上に固定された受光素子２１を有している。
【００３２】
導光体１８は、ＬＥＤ光源ユニット１７からの発光を読み取って主走査方向に均一に拡散させる。この導光体１８から照射された照射光は原稿Ｄで反射され、この反射光は、レンズアレイ１９を通して受光素子２１上に結像される。結像された光は受光素子２１により光電変換され、画像信号として順次出力される。
【００３３】
以上の等倍光学系読取部５は、Ｒ・Ｇ・Ｂ３色のＬＥＤを有するＬＥＤ光源ユニット１７を光源として用いたものである。そして、Ｒ・Ｇ・Ｂをそれぞれ高速に切り換えてレンズアレイ１９を通して、撮像素子である受光素子２１に原稿Ｄからの光を直接的に導くように構成されている。
【００３４】
この等倍光学系読取部５は、原稿給送トレイ２からの原稿搬送経路の途中に配置され、原稿搬送経路を搬送中の原稿Ｄの第２面の画情報（画像）を読み取って、画像信号を出力する。ＬＥＤ光源ユニット１７は、Ｒ・Ｇ・Ｂの３色のＬＥＤ（発光ダイオード）から構成され、各色を切り換えて点灯しているため、縮小光学系読取部（第１読取部）４よりも、読み取りに時間がかかる（読取速度が遅い）。
【００３５】
等倍光学系読取部５の受光素子２１は、複数の素子から１つの受光素子として形成されるため、素子間の感度やＡＣ／ＤＣ成分のバラツキがあり、蓄積時間が短いと出力画像信号に対するバラツキが大きくなるので蓄積時間を長くする必要がある。そのため、縮小光学系読取部（第１読取部）４の速い読取速度に、等倍光学系読取部（第２読取部）５の遅い読取速度を合わせるように制御すると、受光素子（第２読取センサ）２１で読み取った第２面の画像が劣化することになる。そこで、本実施形態では、等倍光学系読取部５の遅い読取速度に、縮小光学系読取部４の速い読取速度を合わせるように制御するのである。
【００３６】
［画像読取装置の制御系］
次に、図５を参照して、画像読取装置２２を制御する制御系について説明する。なお、図５は、本実施形態における画像読取装置２２の制御系について示すブロック図である。
【００３７】
すなわち、図５に示すように、画像読取装置２２の制御系は、読取装置制御部３１を備えている。この読取装置制御部３１には、装置本体４０ａに設けられた操作パネル３４で選択されて入力された各種の設定情報が入力される。操作パネル３４での設定やコピー実行指示は、装置本体４０ａの制御部１３２に一旦伝達されてから読取装置制御部３１に伝達される。そのため、操作パネル３４は、画像読取装置２２の設定入力や読み取りモード設定などを行う操作部として機能する。
【００３８】
読取装置制御部３１は、中央演算処理装置としてのＣＰＵ３５に備えた水平同期信号制御部３６及び光源電流制御部３７と、モード切換え部３９と、記憶部３８とを有している。そして、読取装置制御部３１には、画像読取部１０２における縮小光学系読取部（第１読取部）４、及び原稿搬送部１における等倍光学系読取部（第２読取部）５が接続されている。なお、記憶部３８は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、フラッシュＲＯＭ等の不揮発性と揮発性のメモリから構成できる。
【００３９】
モード切換え部３９は、縮小光学系読取部（第１読取部）４及び等倍光学系読取部（第２読取部）５により原稿Ｄの第１面及び第２面の各画像を１工程で読み取る読取モード（両面読取モード）に切り換え可能に構成される。モード切換え部３９はさらに、第１読取モード、第２読取モード、第３読取モード（両面読取モード）を切換え可能に構成される。
【００４０】
水平同期信号制御部３６は、ＡＦＥ（Analog  Front  End）４２を介して、縮小光学系読取部４におけるＣＣＤリニアイメージセンサ１４を制御すると共に、ＡＦＥ５２を介して、等倍光学系読取部５における受光素子２１を制御する。水平同期信号制御部３６は、第１水平同期信号（ＨＳＹＮＣ）の位相を、第２水平同期信号（ＨＳＹＮＣ）の位相に合わせるように制御する。上記第１水平同期信号（ＨＳＹＮＣ）は、モード切換え部３９による読取モードへの切り換えに対応して、原稿Ｄに対する走査１ライン分を読み取るための縮小光学系読取部４への読取開始トリガである。上記第２水平同期信号（ＨＳＹＮＣ）は、等倍光学系読取部５への読取開始トリガである。
【００４１】
なお、上記第１読取モードは、縮小光学系読取部（第１読取部）４により原稿Ｄの第１面の画像を読み取るモードである。また、上記第２読取モードは、等倍光学系読取部（第２読取部）５により原稿Ｄの第２面の画像を読み取るモードである。さらに、上記第３読取モード（両面読取モード）は、縮小光学系読取部４により原稿Ｄの第１面を読み込んだ後に原稿Ｄを反転させて縮小光学系読取部４により原稿の第２面を読み込むモードである。本実施形態では、このような各種の読取モードを、操作パネル３４から入力された選択に応じてモード切換え部３９により自在に切り換えることができる。
【００４２】
光源電流制御部３７は、画像読取部１０２の縮小光学系読取部４における光源装置５７に接続されると共に、原稿搬送部１の等倍光学系読取部５における光源装置５８に接続されている。光源電流制御部３７は、光源装置５７のＣＣＤリニアイメージセンサ１４をＬＥＤドライバ４５を介して制御すると共に、光源装置５８のＬＥＤ光源ユニット１７をＬＥＤドライバ５５を介して制御する。また、記憶部３８は、画像読取装置２２の各部から出力された種々の情報を記憶する。
【００４３】
縮小光学系読取部（第１読取部）４は、ＣＣＤリニアイメージセンサ（第１読取センサ）１４により画像を読み取る際に該画像に光照射する第１光源１５ａ，１５ｂを有している。また、等倍光学系読取部（第２読取部）５は、受光素子（第２読取センサ）２１により画像を読み取る際に該画像に光照射する第２光源であるＬＥＤ光源ユニット１７を有している。
【００４４】
読取装置制御部３１は、上記第１水平同期信号の位相の変更により遅くなった縮小光学系読取部（第１読取部）４の読取速度に応じて第１光源１５ａ，１５ｂの光量を低減させるように制御する。これにより、第１光源１５ａ，１５ｂの光量に係る電流を節約することが可能になる。
【００４５】
次に、図６を参照して、図５における水平同期信号制御部３６の構成の一例の回路構成について説明する。図６は、この回路構成について示すブロック図である。
【００４６】
即ち、モード切換え部３９と共に制御手段を構成する水平同期信号制御部３６は、図６に示す位相同期回路（PLL:Phase  Locked  Loop）４３を備えている。この位相同期回路４３は、位相比較器６３と、ループフィルタ（フィルタ回路）６４と、可変周波数発振器（ＶＣＯ）６５と、分周器６２とから構成される
【００４７】
位相同期回路４３は、縮小光学系読取部４の第１水平同期信号（第１読取部の水平同期信号）Ｈ１をその位相を等倍光学系読取部５の第２水平同期信号（第２読取部の水平同期信号）Ｈ２の位相に同期させた信号Ｈ２’として出力する。信号Ｈ２’の出力で、縮小光学系読取部４の読取速度が等倍光学系読取部５の遅い読取速度と同等に変更される際、読取装置制御部３１は、次のように制御する。つまり、縮小光学系読取部４を原稿Ｄが通過する際の搬送速度を、等倍光学系読取部５を原稿Ｄが通過する際の搬送速度と同等になるように駆動系を制御する。
【００４８】
位相比較器６３は、第１水平同期信号Ｈ１を一方の端子Ｔ１に入力すると共に、フィードバックされてくる信号Ｓ４を他方の端子Ｔ２に入力し、第１水平同期信号Ｈ１とフィードバックの信号Ｓ４との位相差Ｓ１を出力する。ループフィルタ６４は、位相比較器６３と可変周波数発振器（ＶＣＯ）６５との間に介在されて、位相比較器６３の出力（位相差Ｓ１）から交流成分をカットして不要な短周期変動を除去した形の信号Ｓ２を出力する。
【００４９】
可変周波数発振器（ＶＣＯ）６５は、位相比較器６３から出力されてループフィルタ６４を経由した出力（信号Ｓ２）に基づいて発振周波数を変更して出力する。分周器６２は、可変周波数発振器６５からの出力をその周波数を分周して他方の端子Ｔ２にフィードバックする。このように可変周波数発振器６５の出力信号を分周器６２で分周したものを用いることで、位相比較器６３への入力信号である縮小光学系読取部４の第１水平同期信号Ｈ１の位相を変えて、周波数を任意の整数倍にした信号Ｈ’を生成することができる。
【００５０】
本実施形態における水平同期信号制御部３６及びモード切換え部３９により、制御手段が構成されている。制御手段（３６，３９）は、縮小光学系読取部４と等倍光学系読取部５により原稿Ｄの第１面と第２面の各画像を１工程で読み取る際は原稿に対する走査１ライン分を読み取るために使用する第１水平同期信号Ｈ１の位相を第２水平同期信号Ｈ２の位相に変更する。
【００５１】
次に、図７及び図８を参照して、本実施形態における画像読取装置２２の作用について説明する。なお、図７（ａ）〜（ｅ）は、画像読取装置２２の各読取モードと、モードに対応する水平同期信号（ＨＳＹＮＣ）及び光源電流値について示す図である。また、図８は、画像読取装置２２の処理を説明するフローチャートである。
【００５２】
まず、原稿の画像読取に際して、読取装置制御部３１は、操作パネル３４からの入力に基づいてモード切換え部３９で選択された読取モードが、両読取部４，５で原稿Ｄの両面を読み取る両面読取モードであるか否かを判断する（Ｓ１００１）。
【００５３】
その結果、両面読取モードである場合には、さらに両読取部４，５により原稿Ｄの両面を同時に（１工程で）読み取る両面読取モードであるか、交互に読み取る両面読取モードであるかを判断する（Ｓ１００２）。その結果、両面同時読みが選択されていれば、読取装置制御部３１は、縮小光学系読取部４及び等倍光学系読取部５の両方を用いて１工程で原稿の画情報の読み取りを行う（Ｓ１００３）。一方、両面交互読みが選択されていれば、読取装置制御部３１は、原稿を反転させながら搬送し、縮小光学系読取部４により第１面と第２面を片面ずつ順に読み取りする（Ｓ１００４）。
【００５４】
また、読取装置制御部３１が、Ｓ１００１にて選択された読取モードは両面読取モードではないと判断した場合、さらに、表面読みなのか裏面読みなのかを確認する（Ｓ１００５）。その結果、読取装置制御部３１は、表面読みと判断した場合には縮小光学系読取部４で読み取るように制御し（Ｓ１００６）、裏面読みと判断した場合には等倍光学系読取部５で読み取るように制御する（Ｓ１００７）。
【００５５】
そして、上述した各読取時において、各読取モードにおける光源電流と水平同期信号（ＨＳＹＮＣ）との関係は、以下のようになる。
【００５６】
すなわち、図７（ａ）に示す片面読取モードが選択され、縮小光学系読取部（第１読取部）４で読み取る際には、その第１光源１５ａ，１５ｂの光源電流を２０ｍＡとし、その水平同期信号Ｈ１（図６参照）の周期をｔとする。
【００５７】
また、図７（ｂ）に示す片面読取モードが選択され、等倍光学系読取部（第２読取部）５で読み取る際には、そのＬＥＤ光源ユニット１７の光源電流を２５ｍＡとし、等倍光学系読取部５の第２水平同期信号Ｈ２（図６参照）の周期を２ｔとする。なお、読取センサによって水平同期信号（ＨＳＹＮＣ）が異なる理由は、前述したとおりである。
【００５８】
また、図７（ｃ），（ｄ）に示す両面同時読取モードが選択された場合は、縮小光学系読取部（第１読取部）４の速い読取速度を、等倍光学系読取部（第２読取部）５の遅い読取速度に合わせる必要がある。そのため、縮小光学系読取部（第１読取部）４の第１水平同期信号Ｈ１（図６参照）を２ｔにする。このとき、縮小光学系読取部４の第１水平同期信号Ｈ１が２倍になったため、第１光源１５ａ，１５ｂの光が原稿に照射され、その光がＣＣＤリニアイメージセンサ１４（図３参照）に蓄積される時間も２倍になる。蓄積時間が２倍になることは、光量が２倍になることと同等のため、光量を半分にすることができる。よって、縮小光学系読取部（第１読取部）４における光量を半分の１０ｍＡに設定することができる。
【００５９】
一方、図７（ｅ）に示す両面反転読取モードが選択された場合は、縮小光学系読取部（第１読取部）４で読み取るため、第１光源１５ａ，１５ｂの光源電流を２０ｍＡとし、第１水平同期信号Ｈ１の周期をｔとする。
【００６０】
なお、上述した光源電流値や水平同期信号（ＨＳＹＮＣ）の周期はあくまでも一例であって、上記値に限定されることはなく、その都度適宜変更して設定すれば良い。
【００６１】
また、本実施形態では、原稿搬送部１側に等倍光学系読取部（第２読取部）５を配置し、画像読取部１０２側に縮小光学系読取部（第１読取部）４を配置したが、これらの関係は逆に設定することも可能である。即ち、原稿搬送部１側に縮小光学系読取部４を配置し、画像読取部１０２側に等倍光学系読取部５を配置することも可能である。この場合も、略同様の効果を得ることが可能である。
【００６２】
以上のように本実施形態では、増幅回路を用いることなく、水平同期信号の変更に伴い光源の光量を低減することで電力を抑えることができ、より省エネルギーで安価な構成で、品質の良い画像を提供可能な画像読取装置２２とすることができる。そして、動作クロックを変化させるような処理を行うことなく、縮小光学系読取部４と等倍光学系読取部５の読取速度をより効果的に合わせて、両面読取時の処理速度を向上させ得るように構成することができる。
【符号の説明】
【００６３】
４…縮小光学系読取部（第１読取部）／５…等倍光学系読取部（第２読取部）／１４…ＣＣＤリニアイメージセンサ（第１読取センサ）／１５ａ，１５ｂ…第１光源／２１…受光素子（第２読取センサ）／２２…画像読取装置／３６，３９…水平同期信号制御部，モード切換え部（制御手段）／４３…位相同期回路／６２…分周器／６３…位相比較器／６４…ループフィルタ（フィルタ回路）／６５…可変周波数発振器／Ｄ…原稿／Ｈ１…第１水平同期信号（第１読取部の水平同期信号）／Ｈ２…第２水平同期信号（第２読取部の水平同期信号）／Ｈ２’…第２水平同期信号の位相に同期させた信号／Ｔ１…一方の端子／Ｔ２…他方の端子
【図１】
2016051946.tif 000003
【図２】
2016051946.tif 000004
【図３】
2016051946.tif 000005
【図４】
2016051946.tif 000006
【図５】
2016051946.tif 000007
【図６】
2016051946.tif 000008
【図７】
2016051946.tif 000009
【図８】
2016051946.tif 000010